(57)【特許請求の範囲】
【請求項１】
胴部を扁平状とし、口部内に計量部材を嵌挿取着した容器と、注出口を具えた中栓およびキャップとを備えた液注出容器であって、
計量部材が、計量室とその下方に連設されたスクイズ規制筒とからなり、
計量室は、外筒と内筒と、底壁とを具え、外筒の下方にスクイズ規制筒を垂設し、
内筒の下端に連通筒が垂設され、連通筒とスクイズ規制筒との間に複数の補強リブが架設され、
連通筒下端に、下端部が容器底部に接するパイプが嵌挿されており、
扁平状胴部の前後面に、スクイズ規制筒から所定距離離れて位置させた押圧部を設け、胴部押圧にあたって、該押圧部をスクイズ規制筒に衝接させて一定量の内容液を計量室に押上げるよう規制したことを特徴とする計量部材を備えた液注出容器。
【発明の詳細な説明】
【０００１】
【発明の属する技術分野】
本発明は、計量部材を備えた液注出容器に関する。
【０００２】
【従来の技術】
容器内に計量部材を装着し、注出量を計量して注出口より注出するようにした液注出容器は、従来より提案されている。
従来の液注出容器は、例えば図６に示すように、容器Ａａは、容器口部５０と胴部５１を具えており、容器口部５０に、外筒５２と有蓋の内筒５３、両者を連結する底壁５４とからなる計量部材Ｂａを取着するようにしていた。
【０００３】
そして、計量部材Ｂａは、内筒５３の上端部に複数のスリット５５を設けてスリット５５下端以外の室内を計量部とし、計量にあたっては、胴部５１を押圧することによって、内筒５３下端に取着されたパイプを通じて内容液を計量部材Ｂａの室内に押し上げ、次いで、胴部５１の押圧を解いたときに、余分な液をスリット５５より容器内に戻し、スリット５５下端までの液を計量した内容液として計量部材Ｂａの計量部に保持されるようにしていた。
【０００４】
【発明が解決しようとする課題】
しかしながら、内容液の注出にあたって、胴部を大きく押圧すると、計量部材の室内を充たし、さらに注出口からオーバーフローすることもあった。
また、計量部材の室内に押上げた液が多くなると、計量部より上昇した液を戻すのに時間がかかるという問題があった。
【０００５】
本発明は、上記の問題を解決することを課題として、胴部の押圧量を一定とし、計量を迅速に行えるようスクイズ規制筒を設けた液注出容器を提供することを目的とする。
【０００６】
【課題を解決するための手段】
本発明は、上記の課題を解決するため、計量部材を備えた液注出容器として、胴部を扁平状とし、口部内に計量部材を嵌挿取着した容器と、注出口を具えた中栓およびキャップとを備えた液注出容器であって、計量部材が、計量室とその下方に連設されたスクイズ規制筒とからなり、計量室は、外筒と内筒と、底壁とを具え、外筒の下方にスクイズ規制筒を垂設し、内筒の下端に連通筒が垂設され、連通筒とスクイズ規制筒との間に複数の補強リブが架設され、連通筒下端に、下端部が容器底部に接するパイプが嵌挿されており、扁平状胴部の前後面に、スクイズ規制筒から所定距離離れて位置させた押圧部を設け、胴部押圧にあたって、該押圧部をスクイズ規制筒に衝接させて一定量の内容液を計量室に押上げるよう規制したことを特徴とする構成を採用する。
【０００７】
【発明の実施の形態】
次に、本発明の実施形態について、図面を参照して説明する。
図１において、Ａは容器、Ｂは容器内に装着された計量部材、Ｃは中蓋、Ｄは上蓋で、いずれも合成樹脂で成形されている。
【０００８】
容器Ａは、図２〜４に示すように、口部１と胴部２と底部３とからなり、口部１には、上端縮径部４とねじ５、保持環６が設けられており、その下方は、胴部２に続く拡径部７となっている。
【０００９】
胴部２は、円筒形の上部胴部８と断面扁平状の下部胴部９とを具えており、下部胴部９の短径は、上部胴部８の径より大きく、上部胴部８と下部胴部９との間には、肩部１０が形成されている。
下部胴部９は、前後の壁面１１ａ，ｂと左右の側壁面１２ａ，ｂとからなっており、前後の壁面１１ａ，ｂには、楕円形その他適宜の形状の凹部１３が設けられている。
【００１０】
計量部材Ｂは、図２，４，５に示すように、計量室Ｂ１と計量室Ｂ１の下方に連接されたスクイズ規制筒Ｂ２とを具えており、計量室Ｂ１は、外筒１５と内筒１６と二つの筒を連結する底壁１７とからなっている。
外筒１５の上端には、フランジ１８が突設されており、パッキン１９を介して、容器口部１上端に接合するようにされている。
内筒１６の上端は、上壁２０となっており、内筒１６の上端部には、複数個のスリット２１が設けられている。
底壁１７からスリット２１の下端までの計量室Ｂ１によって、計量部が形成されている。
【００１１】
前記外筒１５の下端外周縁から下方に延びるよう、スクイズ規制筒Ｂ２が連接されており、内筒１６の下端には、内周面を同一とする連通筒２２が下垂されている。
スクイズ規制筒Ｂ２には、縦溝２３が設けられ、スクイズ規制筒Ｂ２と連通筒２２との間には、補強リブ２４が架設されている。
連通筒２２の下端には、パイプ２５が嵌挿され、パイプ２５の下端は、側方に向けられ、下端部の一部が容器Ａの底部３上面に接するようにしている。
【００１２】
中蓋Ｃは、図２に示すように、注出ヘッド３０を立設した頂壁３１と側周壁３２とを具えており、注出ヘッド３０は、上端に注出口３３を設けた錘状の周壁３４と、該周壁３４の下端に連設する円形の筒壁３５とからなり、筒壁３５の外周面には、ねじ３６が螺設されている。
側周壁３２の内周には、容器口部１のねじ５に螺合するねじ３７が螺設されており、側周壁３２の内側には、計量部材Ｂの外筒１５内周に係合する係合リング３８が垂設されている。
【００１３】
上蓋Ｄは、図２に示すように、頂壁４０と側周壁４１とからなっており、頂壁４０の内周には、前記中蓋Ｃの注出口３３を密封する栓４２が垂設されている。
側周壁４１の内周には、前記中蓋Ｃの注出ヘッド３０のねじ３６に螺合するねじ４３が螺設されており、外周面には、一定間隔をおいて多数のリブ４４が突設されている。
【００１４】
次に、液注出容器の使用態様と作用効果について説明する。
上蓋Ｄをとって胴部２を押圧すると、内容液は、パイプ２５と連通筒２２を通じて計量室Ｂ１内に押上げられ、押圧を解くと、胴部２の復元力により容器Ａ内は減圧状態になるので、注出口３３より空気が吸入されるとともに、計量室Ｂ１内に押上げられていた内容液のうちスリット２１下端より上方の部分は、スリット２１を通じて容器Ａ内に戻され、スリット２１下端より下にある内容液は、そのまま計量室Ｂ１内に残ることになる。
かくして、一定の内容液が計量されるのである。
【００１５】
次に、容器Ａを倒立させると、計量室Ｂ１内の内容液は、注出ヘッド３０側に移動し、次いで、胴部２を押圧すると、注出口３３より計量室Ｂ１内の内容液を注出することができる。
【００１６】
上記実施形態では、前後の壁面１１ａ，ｂにスクイズ規制筒Ｂ２に衝接する凹部１３を設けているが、壁面１１ａ，ｂとスクイズ規制筒Ｂ２との距離が短い場合には、凹部はとくに設けなくてもよい。
【００１７】
【発明の効果】
本発明は、上記のように構成されているから、次の効果を奏する。
計量部材の下方にスクイズ規制筒を連接し、胴部の押圧量を一定にして一定量の内容液を計量室に押上げるようにしたから、計量時に多量の内容液を押上げ、注出口より溢れさせたりすることはない。
また、計量分を越える余分な液が少なくなるので、計量が効率的に行われるようになった。
【図面の簡単な説明】
【図１】本発明液注出容器の一部断面正面図である。
【図２】注出容器の分解図である。
【図３】容器の上面図である。
【図４】図２のＡ−Ａ線における断面図である。
【図５】計量部材の一部断面説明図である。
【図６】  従来の液注出容器の説明図である。
【符号の説明】
Ａ、Ａａ      容器
Ｂ、Ｂａ      計量部材
Ｂ１          計量室
Ｂ２          スクイズ規制筒
Ｃ            中蓋
Ｄ            上蓋
１、５０      口部
２、５１      胴部
８            上部胴部
９            下部胴部
１０          肩部
１１ａ，ｂ    壁面
１３          凹部
１５、５２    外筒
１６、５３    内筒
１７、５４    底壁
２１、５５    スリット
２４          補強リブ
２５          パイプ
３０          注出ヘッド
３３          注出口
【図１】
0004316066.tif 000002
【図２】
0004316066.tif 000003
【図３】
0004316066.tif 000004
【図４】
0004316066.tif 000005
【図５】
0004316066.tif 000006
【図６】
0004316066.tif 000007